(57)【要約】【課題】遺体の局部に自然な状態で満遍なく容易かつ確実に処置液を注入して、局部を閉塞し、遺体の局部からの分泌物の漏出を確実に防止できる遺体の処置液の製造方法及び処置用具を提供する。【解決手段】木を１ｍｍ以下の粉末にした後、前記粉末に香料を付けた木の粉末４０乃至６０重量％と、動物又は魚介類の骨、皮、腸のうち少なくとも１つを粉末にし、前記粉末を石灰水に浸したのち、煮込んで生成したゼラチン２０乃至４０重量％と、発泡ウレタン液１０乃至３０重量％とを混合することにより遺体の処置液２を製造する。そして、前記遺体の処置液２と、遺体の処置液２を高圧ガス３と共に収納する注入容器４と、注入容器４に取付けられる注入用押しボタン５と、注入用ノズルとなる注入用パイプ６とを備え、高圧ガス３によって注入用パイプ６から遺体の処置液２を遺体の鼻、口、耳、肛門及び／又は膣に注入自在に構成された遺体の処置用具１を提供する。【選択図】図１
2008237306.tif 000002
【特許請求の範囲】
【請求項１】
胃、膀胱及び／又は直腸部を圧迫しながら遺体内の内容物を外部に排出したのち、木の粉末と、動物又は魚介類の骨、皮、腸のうち少なくとも一つによって作られたゼラチンと、発泡ウレタン液とを混合してなる遺体の処置液を前記遺体の鼻、口、耳、肛門及び／又は膣に注入して固化させることを特徴とする遺体の処置方法。
【請求項２】
木を１ｍｍ以下の粉末にした後、前記粉末に香料を付けた木の粉末４０乃至６０重量％と、動物又は魚介類の骨、皮、腸のうち少なくとも１つを粉末にし、前記粉末を石灰水に浸したのち、煮込んで生成したゼラチン液２０乃至４０重量％と、発泡ウレタン液１０乃至３０重量％とを混合することにより遺体の処置液を製造することを特徴とする遺体の処置液の製造方法。
【請求項３】
請求項２記載の遺体の処置液の製造方法によって製造された遺体の処置液と、前記遺体の処置液を高圧ガスと共に収納する注入容器と、前記注入容器に取付けられる注入用押しボタンと、注入用ノズルとなる注入用パイプとを備え、前記注入用押しボタンを押すことにより、前記高圧ガスによって前記注入用パイプから前記遺体の処置液を遺体の鼻、口、耳、肛門及び／又は膣に注入自在に構成されたことを特徴とする遺体の処置用具。
【請求項４】
胃、膀胱及び／又は直腸を圧迫して遺体内の内容物を外部に排出し、遺体の口腔内清拭及び／又は全身湯拭を行い、遺体の鼻、口、耳、肛門及び／又は膣に請求項３記載の遺体の処置用具の注入用パイプを挿入し、前記注入用パイプから前記遺体の処置液を注入して固化させることを特徴とする遺体の処置用具の使用方法。
【発明の詳細な説明】
【技術分野】
【０００１】
本発明は、遺体の分泌物の漏出を確実に防止できる遺体の処置方法、処置液の製造方法、処置用具及び処置用具の使用方法に関する。
【背景技術】
【０００２】
人は、地球上に生命を与えられた時から、今日までの長い年月に渡って、病原菌と闘いながら生きてきている。そして、最近は、特に、次々に感染新生物が発生し、ますます危険な状況に晒されている。
人が亡くなった時、病原菌による死亡の場合もあり、又、死亡前後に病原菌に感染する場合も考えられる。そのため、死後の遺体から出てくる液状分泌液は、危険な感染症の病原菌が存在する虞があり、遺体の処置について慎重な取り扱いが必要である。
遺体の処置は、特に、悪性の病原菌Ｂ型肝炎、Ｃ型肝炎等の肝炎ウイルス感染病等や、エイズ、白血病を引き起こすＨＩＶウイルス等、血液や、体液を介する感染に最善の注意を払わなければならない。
【０００３】
従来の遺体の処置は、例えば、次のように行なわれている。
従来の遺体の処置方法として、例えば、膀胱や直腸部を圧迫しながらその内容物を出し、その後、鼻、口、耳、肛門、膣に、青梅綿を詰めて分泌物の漏出を防止する処置方法がとられている。この場合、更に分泌物が漏れた場合、該当箇所を再度処置することになる。
かかる死後の処置によって病原菌の飛散を防止している。
此種の先行文献として、例えば、特許文献１があり、特許文献１は、遺体の処理に関して、体腔内への綿材充填作業を円滑かつ確実にする器具を提供するものである。
【特許文献１】特開２００２−２４８１４０号公報
【発明の開示】
【発明が解決しようとする課題】
【０００４】
従来の遺体の処置には、次のような問題点を指摘することができる。
（１）青梅綿だけの処置では、分泌液が漏出する虞があり、漏出した分泌液によって、感染症の発生或いは感染症を増大させる虞がある。
（２）青梅綿での処置は、看護師にとって多大な労力と時間がかかるという問題がある。
【０００５】
以上の現状に鑑み、本発明の目的は、遺体の局部に自然な状態で満遍なく容易かつ確実に処置液を注入して局部を閉塞することができ、遺体の局部からの分泌物の漏出を確実に防止できる遺体の処置方法、処置液の製造方法、処置用具、及び、処置用具の使用方法を提供する。
【課題を解決するための手段】
【０００６】
上記の課題を解決すべく、本発明は以下の構成を提供する。
請求項１に係る発明は、胃、膀胱及び／又は直腸部を圧迫しながら遺体内の内容物を外部に排出したのち、木の粉末と、動物又は魚介類の骨、皮、腸のうち少なくとも一つによって作られたゼラチンと、発泡ウレタン液とを混合してなる遺体の処置液を前記遺体の鼻、口、耳、肛門及び／又は膣に注入して固化させることを特徴とする遺体の処置方法を提供するものである。
【０００７】
請求項２に係る発明は、木を１ｍｍ以下の粉末にした後、前記粉末に香料を付けた木の粉末４０乃至６０重量％と、動物又は魚介類の骨、皮、腸のうち少なくとも１つを粉末にし、前記粉末を石灰水に浸したのち、煮込んで生成したゼラチン液２０乃至４０重量％と、発泡ウレタン液１０乃至３０重量％とを混合することにより遺体の処置液を製造することを特徴とする遺体の処置液の製造方法を提供するものである。
【０００８】
請求項３に係る発明は、請求項２記載の遺体の処置液の製造方法によって製造された遺体の処置液と、前記遺体の処置液を高圧ガスと共に収納する注入容器と、前記注入容器に取付けられる注入用押しボタンと、注入用ノズルとなる注入用パイプとを備え、前記注入用押しボタンを押すことにより、前記高圧ガスによって前記注入用パイプから前記遺体の処置液を遺体の鼻、口、耳、肛門及び／又は膣に注入自在に構成されたことを特徴とする遺体の処置用具を提供するものである。
【０００９】
請求項４に係る発明は、胃、膀胱及び／又は直腸を圧迫して遺体内の内容物を外部に排出し、遺体の口腔内清拭及び／又は全身湯拭を行い、遺体の鼻、口、耳、肛門及び／又は膣に請求項３記載の遺体の処置用具の注入用パイプを挿入し、前記注入用パイプから前記遺体の処置液を注入して固化させることを特徴とする遺体の処置用具の使用方法を提供するものである。
【発明の効果】
【００１０】
本発明は、上述のように構成されているので、下記のような効果を期待することができる。
（１）処理液を注入する方法であるので、遺体の局部、即ち、鼻、口、耳、肛門及び／又は膣に満遍なく注入することができる。
（２）注入された遺体の処置液は、発泡ウレタンとゼラチンの固化作用により、注入箇所で迅速に固まり流出しない。又、発泡ウレタンとゼラチンの固化作用により、注入箇所の局部を閉塞することができる。更に、注入後の発泡ウレタンの発泡により、注入箇所の局部を隙間なく閉塞することができる。従って、感染の発生を確実に防ぐことができる。
（３）注入処置用具により、熟練者でなくても、注入を容易かつ確実に行うことができる。
（４）従来の青梅綿での処置と異なり、顔面などにおいて、処置後の結果が外部から見えず自然な状態を保つことができると共に、事後の整形を確実に行なえる。
（５）注入処置用具を用いた注入によって、遺体の局部からの分泌物の漏出を確実に防止できるので、従来の青梅綿を用いた処置に比較して、感染の発生を確実に防ぐことができる。
（６）本発明の遺体の処置液は、木の粉末、ゼラチン液を原料として用いるので、人、動植物及び地球に対して優しいという利点がある。
【発明を実施するための最良の形態】
【００１１】
以下、実施例を示した図面を参照しつつ本発明の実施の形態を説明する。
本発明の第1発明の遺体の処置方法は、次のとおりである。
遺体の胃、膀胱及び／又は直腸部を圧迫しながら内容物を出したのち、鼻、口、耳、肛門及び／又は膣に、木の粉末と、動物あるいは魚介類の骨、皮、腸のうち少なくとも一つによって作られたゼラチン液と発泡ウレタン液を混合してなる遺体の処置液を注入して固化させる。
【００１２】
第２発明の遺体の処置液の製法は、次の工程からなる。
（１）第１工程
木を１ｍｍ以下の粉末にした後、その粉末に木及び／又は花の香料を付ける。
（２）第２工程
牛、馬、豚、羊、鹿のうち少なくとも一つの動物の骨、皮、腸のうち少なくとも一つ、あるいは鮭、鱈、ホッケのうち少なくとも一つの魚介類の骨、皮、腸のうち少なくとも一つを粉末にする。
（３）第３工程
第２工程で得た粉末を石灰水に浸し、煮込んでゼラチン液を作る。
（４）第４工程
第１工程で得た木の粉末４０乃至６０重量％と、第３工程で得たゼラチン液２０乃至４０重量％と、発泡ウレタン液１０乃至３０重量％とを混合して、遺体の処置液を製造する。
【００１３】
好適には、第１工程で得た木の粉末５０重量％と、第３工程で得たゼラチン液３０重量％と、発泡ウレタン液２０重量％を混合して、遺体の処置液を製造する。
尚、発泡ウレタン液は一液性のものと、二液性のものがあり、いずれも使用できる。
又、前記遺体の処置液は、人肌色に着色すると更により良いものになる。
【００１４】
次に、本発明の第３発明の遺体の処置用具について説明する。図１に於いて、１は、本発明の第３発明の遺体の処置用具を示す。まず、本処置用具１の製造工程は次のとおりである。
（１）第１工程
木を１ｍｍ以下の粉末にした後、当該粉末に木及び／又は花の香料を付ける。
（２）第２工程
牛、馬、豚、羊、鹿のうち少なくとも一つの動物の骨、皮、腸のうち少なくとも一つ、あるいは鮭、鱈、ホッケのうち少なくとも一つの魚介類の骨、皮、腸のうち少なくとも一つを粉末にする。
（３）第３工程
第２工程で得た粉末を石灰水に浸し、煮込んでゼラチン液を作る。
（４）第４工程
第１工程で得た木の粉末４０乃至６０重量％と、第３工程で得たゼラチン液２０乃至４０重量％と、発泡ウレタン液１０乃至３０重量％を混合して、遺体の処置液を製造する。
【００１５】
好適には、第１工程で得た木の粉末５０重量％と、第３工程で得たゼラチン液３０重量％と、発泡ウレタン液２０重量％を混合して、遺体の処置液を製造する。
この場合の、発泡ウレタン液は一液性のものが好適である。
（５）第５工程
第４工程で製造した遺体の処置液２を、噴射剤となる高圧ガス３と共に、注入容器４内に充填する。
【００１６】
従って、本発明の第３発明の遺体の処置用具１の構成は次のとおりである。
第３発明の遺体の処置用具１は、第２発明の遺体の処置液の製法によって製造された遺体の処置液２と、遺体の処置液２を高圧ガス３と共に収納する注入容器４と、注入容器４に取付けられる注入用押しボタン５と、注入用ノズルとなる注入用パイプ６とを備え、注入用押しボタン５を矢印Ａの如く押すと、高圧ガス３によって、遺体の処置液２が注入用パイプ６から吐出するように構成されている。
尚、発泡ウレタン液に二液性のものを用いる場合は、例えば、二液の各成分である主剤と硬化剤とを注入容器４内で別区画内に収納し、注入用パイプ６の先端から吐出させる時、その吐出前に主剤と硬化剤とを混合させるように構成（図示せず）する。
【００１７】
第４発明の遺体の処置用具１の使用方法は次の工程からなる。
（１）第１工程
遺体の胃、膀胱及び／又は直腸を圧迫してその内容物を出す。その後、口腔内清拭（タオルなどで拭いてきれいにすること）、全身湯拭（湯で絞ったタオルなどで拭いてきれいにすること）する。
（２）第２工程
遺体の鼻、口、耳、肛門及び／又は膣に処置用具１の注入用パイプ５を挿入し、注入用押しボタン６を矢印Ａの如く押して体内に遺体の処置液２を注入しながら注入用パイプ５を静かに引き抜く。注入された遺体の処置液２は、注入箇所に於いて発泡状態で固化する。
【００１８】
尚、第４発明の遺体の処置用具１の使用方法には含まれないが、実際には前述の工程の後に次のような遺体の処置の工程が続く。
（３）第３工程
遺体に白い着物を着せて棺に入れる。
（４）第４工程
遺体の身体を自然の形に整えて手を組ませ顔面に白い布を掛ける。
【図面の簡単な説明】
【００１９】
【図１】本発明による遺体の処置用具の斜視図である。
【符号の説明】
【００２０】
１  処置用具
２  遺体の処置液
３  高圧ガス
４  注入容器
５  注入用押しボタン
６  注入用パイプ
【図１】
2008237306.tif 000003